(57)【要約】【課題】  本発明はディスプレイ装置及びその制御方法に関する。【解決手段】  本発明のディスプレイ装置は、映像のフレームを視分割する複数のサブフィールドを処理するディスプレイ装置であって：入力映像の停止の有無を検出する動き検出部と；前記動き検出部から停止映像として検出された場合、前記入力映像の輝度レベルを所定の前記停止映像階調群の中のいずれか一つの階調に変換する階調変換部とを含み；前記停止映像階調群は、隣接する階調等の間に、同一サブフィールドに対して発光の可否を異なるようにするサブフィールドの個数が所定基準値以下である階調で構成される。これにより、ライン負荷にともなう階調表現力が低減されることを防止できる。【選択図】      図３ 
2005346068.tif 000002
【特許請求の範囲】
【請求項１】
映像のフレームを視分割する複数のサブフィールドを処理するディスプレイ装置であって；
入力映像の停止の有無を検出する動き検出部と；
前記動き検出部から停止映像として検出された場合、前記入力映像の輝度レベルを所定の停止映像階調群の中のいずれか一つの階調に変換する階調変換部を含み；
前記停止映像階調群は、隣接する階調等の間に、同一サブフィールドに対して発光の可否を異なるようにするサブフィールドの個数が所定基準値以下である階調で構成されることを特徴とするディスプレイ装置。
【請求項２】
映像のフレームを視分割する複数のサブフィールドを処理するディスプレイ装置であって；
入力映像から共通階調を持つ画素を検出する画素検出部と；
前記画素検出部から検出された共通階調の画素が所定の基準個数以上である場合、前記共通階調と比較して、同一サブフィールドに対して発光の可否が異なるサブフィールドの個数が所定基準値以下である階調により前記入力映像の輝度レベルを変換する階調変換部を含むことを特徴とするディスプレイ装置。
【請求項３】
入力映像が停止映像なのか有無を検出する動き検出部をさらに含み；
前記階調変換部は、前記画素検出部から検出された共通階調の画素が所定基準個数以上であり、前記動き検出部から停止映像として検出された場合、前記共通階調と比較して、同一サブフィールドに対して発光の可否が異なるサブフィールドの個数が所定基準値以下である階調に前記入力映像の輝度レベルを変換することを特徴とする請求項２に記載のディスプレイ装置。
【請求項４】
映像を表示するためのディスプレイ部をさらに含み；
前記画素検出部は前記ディスプレイ部のラインを単位で前記画素を検出して；
前記階調変換部は、前記基準個数以上である共通階調の画素を含む前記ディスプレイ部のラインを構成する画素の輝度レベルを、前記共通階調と比較して、同一サブフィールドに対して発光の可否が異なるサブフィールドの個数が所定基準値以下である階調に変換することを特徴とする請求項２に記載のディスプレイ装置。
【請求項５】
映像のフレームを視分割する複数のサブフィールドを処理するディスプレイ装置であって；
隣接する階調等の間に、同一サブフィールドに対して発光の可否を異なるようにするサブフィールドの個数が所定基準値以下である階調で構成される映像群中のいずれか一つの階調に入力映像の輝度レベルを変換する階調変換部を含むことを特徴とするディスプレイ装置。
【請求項６】
前記階調変換部は前記入力映像の輝度レベルと前記階調変換部からの変換される階調間の差を誤差拡散とディザリング方法中のいずれか一つにより、補償することを特徴とする請求項１に記載のディスプレイ装置。
【請求項７】
前記階調変換部は前記入力映像の輝度レベルと前記階調変換部からの変換される階調間の差を誤差拡散とディザリング方法中のいずれか一つにより、補償することを特徴とする請求項２に記載のディスプレイ装置。
【請求項８】
前記階調変換部は前記入力映像の輝度レベルと前記階調変換部から変換される階調間の差を誤差拡散とディザリング方法中のいずれか一つにより、補償することを特徴とする請求項５に記載のディスプレイ装置。
【請求項９】
映像のフレームを視分割する複数のサブフィールドを処理するディスプレイ装置の制御方法であって；
入力映像から共通階調を持つ画素を検出する段階と；
検出された画素の個数が基準個数より多い場合、前記共通階調と比較して、同一サブフィールドに対して発光の可否を異なるようにするサブフィールドの個数が所定基準値以下である階調に、前記入力映像の輝度レベルを変換する段階を含むことを特徴とするディスプレイ装置の制御方法。
【請求項１０】
前記入力映像が停止映像の有無を検出する段階をさらに含み、
前記入力映像の輝度レベルを変換する段階は前記検出された共通階調を持つ画素の個数が基準個数以上であり、前記入力映像が停止映像として検出された場合に変換することを特徴とする請求項９に記載のディスプレイ装置の制御方法。
【請求項１１】
映像のフレームを視分割する複数のサブフィールドを処理するディスプレイ装置の制御方法であって；
隣接する階調等の間に、同一サブフィールドに対して発光の可否を異なるようにするサブフィールドの個数が所定基準値以下である階調で構成される映像群中のいずれか一つの階調で入力映像の輝度レベルを変換する段階を含むことを特徴とするディスプレイ装置の制御方法。
【請求項１２】
前記入力映像が停止映像の有無を検出する段階をさらに含み、
前記入力映像の輝度レベル変換段階は、前記入力映像が停止映像として検出された場合に変換することを特徴とする請求項１１に記載のディスプレイ装置の制御方法。
【請求項１３】
前記入力映像の輝度レベルと前記変換された階調間の差を誤差拡散とディザリング方法中のいずれか一つで補償する段階を含むことを特徴とする請求項９に記載のディスプレイ装置の制御方法。
【請求項１４】
前記入力映像の輝度レベルと前記変換された階調間の差を誤差拡散とディザリング方法中のいずれか一つで補償する段階を含むことを特徴とする請求項１１に記載のディスプレイ装置の制御方法。
【発明の詳細な説明】
【技術分野】
【０００１】
本発明はディスプレイ装置及びその制御方法に関し、より詳細には視分割方式を利用して階調を表すディスプレイ装置及びその制御方法に関する。
【背景技術】
【０００２】
視分割方式は、映像のフレームを所定の発光時間が加重された複数のサブフィールドに分割して、各サブフィールドでの発光の可否を画素別に制御することによって、各画素の階調を表現する方式である。このような視分割方式を採択したディスプレイ装置でＰＤＰ（プラズマディスプレイパネル）、ＤＭＤ（デジタルミラーデバイス）等がある。
【０００３】
図１は、プラズマディスプレイパネルのフレームとサブフィールドの時間構成を示したものである。図１に示されたように、１フレームは８個のサブフィールドで構成されて、サブフィールド等は各々１、２、４、８、１６、３２、６４及び１２８個の維持パルスで加重されている。ここで、維持パルスは一連の画素に共通入力される共通信号として、維持パルスの個数は各サブフィールドに加重された発光時間に比例する。
【０００４】
特定画素をフレーム当り１２９個の維持パルスに比例する発光時間ほど発光できるようにすると、８個のサブフィールドの中、２個のサブフィールド、すなわち、第１及び第８サブフィールドで選択的に発光させれば良い。
【０００５】
これを各サブフィールドでの発光の可否を表す２進データの列であるサブフィールドコードワードで表現すれば、［１００００００１]と表現される。ここで、２進データ‘１’は該当サブフィールドでの発光状態を、‘０’は該当サブフィールドでの非発光状態を表す。
【０００６】
一方、フレームを構成するそれぞれのサブフィールドは、リセット区間、アドレス区間及び維持区間で区別されている。リセット区間は、すべての画素の発光状態を初期化する区間で、アドレス区間は各サブフィールドで発光する画素を選択する時間である。維持区間はディスプレイパネル（図示せず）に各サブフィールドに加重された維持パルスが提供されていて、アドレス区間で選択された画素が維持パルスの個数に比例して、発光する時間である。
【０００７】
前記のように、維持パルスは複数個の画素に対して共通信号として入力される。一般的に維持パルスはパネルを構成する画素のライン別に駆動されている。
【０００８】
図２Ａは、各サブフィールドでのライン負荷の差を説明するための画素別階調分布図であり、図２Ｂは、これに伴うサブフィールドコードワードを示したものである。
【０００９】
図２Ａの第１ラインは、多数の画素が階調［１５９]を持って、少数の画素が階調［１６０]の映像データを持っている。図２Ｂを参照すると、階調［１５９]では、第１サブフィールド乃至第５サブフィールドが連続的に発光して、第６サブフィールドは発光しない。これに対して、階調［１６０]では第１サブフィールド乃至第５サブフィールドは発光せずに、第６サブフィールドが発光する。
【発明の開示】
【発明が解決しようとする課題】
【００１０】
従って、第１ラインは、第１サブフィールド乃至第５サブフィールドの維持区間で発光される画素が非常に多い反面、第６サブフィールドで発光する画素は相対的に少ないことがわかる。すなわち、第１サブフィールド乃至第５サブフィールドでは発光する画素の個数が多く、第１ラインを駆動する維持パルスのラインロードが相対的に大きくなる。このように発光する画素の個数に比例するライン負荷により各画素の発光量が相対的に小さくなる。その反面、第６サブフィールドでは、ライン負荷が大きくないために各画素の発光量は相対的に非常に大きく形成される。
【００１１】
そのために階調［１５９]と［１６０]の階調差は［１]に過ぎないが、実際に現れる明るさの差はこれよりはるかに大きく発生するようになる。視聴者としてはラインに沿って［１]の階調差が出るが滑らかな映像変化を感じなければならないが、あたかも層があるような映像を見るようになる。
【００１２】
一方図２Ａの第２ラインを参照すると、［１６０]の階調を示す画素が多数形成されて、これに伴い第６サブフィールドのライン負荷が増加するようになることがわかる。従って、相対的に少ないライン負荷を持つ［１５９]階調が［１６０]階調よりむしろさらに明るく見える階調逆転が発生しうる。
【００１３】
このような映像が色を示す場合、特に肌色のように明るいながらも、やんわりと変化する領域で色をなす画素であるＲＧＢそれぞれのライン負荷が互いに違うように変化すると、色自体が違うように表現される問題が生じる。
【課題を解決するための手段】
【００１４】
本発明の目的は、映像のフレームを視分割する複数のサブフィールドを処理するディスプレイ装置であって；入力映像が停止映像の有無を検出する動き検出部と；前記動き検出部から停止映像として検出された場合、前記入力映像の輝度レベルを所定の停止映像群中のいずれか一つの階調に変換する階調変換部を含み；前記停止映像階調群は、隣接する階調の間に、同一サブフィールドに対して発光の可否を異なるようにするサブフィールドの個数が所定基準値以下の階調で構成されることを特徴とするディスプレイ装置により、達成できる。
【００１５】
ここで、前記階調変換部は、前記入力映像の輝度レベルと前記階調変換部から変換される階調間の差を誤差拡散とディザリング方法中のいずれの方法により補償することが好ましい。
【００１６】
また前記の目的は、本発明により、映像のフレームを視分割する複数のサブフィールドを処理するディスプレイ装置であって；入力映像から共通階調を持つ画素を検出する画素検出部と；画素検出部から検出された画素が所定の基準個数以上である場合、前記共通階調と比較して、同一サブフィールドに対して発光の可否が他のサブフィールドの個数が所定基準値以下である階調により、前記入力映像の輝度レベルを変換する階調変換部を含むことを特徴とするディスプレイ装置によっても達成される。
【００１７】
ここで、入力映像の停止有無を検出する動き検出部をさらに含み；前記階調変換部は、画素検出部から検出された画素が所定の基準個数以上であり、前記動き検出部から停止映像として検出された場合、前記共通階調と比較して、同一サブフィールドに対して発光の可否が他のサブフィールドの個数が所定基準値以下である階調として、前記入力映像の輝度レベルを変換することが好ましい。
【００１８】
そして映像を表示するためのディスプレイ部をさらに含み；前記画素検出部は前記ディスプレイ部のラインを単位として前記画素を検出して；前記階調変換部は、前記基準個数以上である共通階調の画素を含む前記ディスプレイ部のラインを構成する画素の輝度レベルを、前記共通階調と比較して、同一サブフィールドに対して発光の可否が他のサブフィールドの個数が所定基準値以下である階調に変換することが好ましい。
【００１９】
また前記の目的は、本発明の他の分野により、映像のフレームを視分割する複数のサブフィールドを処理するディスプレイ装置の制御方法であって；入力映像から共通階調を持つ画素を検出する段階と；検出された画素の個数が基準個数より多い場合、前記共通階調と比較して、同一サブフィールドに対して発光の可否を異なるようにするサブフィールドの個数が所定基準値以下である階調に、前記入力映像の輝度レベルを変換する段階を含むことを特徴とするディスプレイ装置の制御方法によっても達成される。
【００２０】
ここで、前記入力映像の輝度レベルと前記変換された階調間の差を誤差拡散とディザリング方法の中のいずれか一つで補償する段階を含むことが好ましい。
【００２１】
また前記の目的は、本発明の他の分野により、映像のフレームを視分割する複数のサブフィールドを処理するディスプレイ装置であって；隣接する階調等の間に、同一サブフィールドに対して発光の可否を異なるようにするサブフィールドの個数が所定基準値以下である階調で構成される映像階調群の中のいずれか一つの階調に入力映像の輝度レベルを変換する階調変換部を含むことを特徴とするディスプレイ装置により達成される。
【００２２】
また前記の目的は、本発明の他の分野により、映像のフレームを視分割する複数のサブフィールドを処理するディスプレイ装置の制御方法であって；隣接する階調等の間に、同一サブフィールドに対して発光の可否を異なるようにするサブフィールドの個数が所定基準値以下である階調で構成される映像群の中のいずれか一つの階調に入力映像の輝度レベルを変換する段階を含むことを特徴とするディスプレイ装置の制御方法によって、達成される。
【００２３】
ここで、前記入力映像の停止の有無を検出する段階をさらに含み、前記入力映像の輝度レベルの変換段階は前記入力映像が停止映像として検出された場合に変換することが好ましい。
【発明の効果】
【００２４】
本発明によると、ライン負荷にとよる階調表現力が低減される恐れがあるラインに対して能動的に対処すると同時に、ライン負荷が問題にならない画素に対する詳細な映像表現が可能になる。また、ライン負荷にともなう階調表現力が低減されることを防止できる効果がある。
【発明を実施するための最良の形態】
【００２５】
以下、添付図を参照して、本発明の実施例を詳細に説明する。
【００２６】
図３は、本発明の第１実施例によるディスプレイ装置のブロック構成図である。図３に示されたように、ディスプレイ装置は階調変換部１０を有する。
【００２７】
階調変換部１０は、入力映像信号を映像群の中のいずれか一つの階調に変換して、出力する。ここで入力映像信号は、画素の輝度レベルと同じ映像データを示す。
【００２８】
そして映像階調群は複数の階調の集合として、隣接する階調等の間に、同一サブフィールドに対して発光の可否を異なるようにするサブフィールドの個数が所定基準値以下である階調で構成される。同一サブフィールドに対して発光の可否を異なるようにすることは、前記サブフィールドコードワードの観点から見る時、ビット遷移（ｂｉｔｓｈｉｆｔ）が起きる場合を意味する。従って、隣接する階調等の間に、遷移されるビットの個数が基準値以下であるサブフィールドコードワードとして表現される階調等が映像階調群を形成しているといえる。
【００２９】
例えば、図４を参照すると、１フレームを視分割する８個のサブフィールドで構成して、サブフィールド等を各々１、２、４、８、１６、３２、６４及び１２８個の維持パルスで加重した場合を仮定する。すべての可能な８ビットの組合せとして、サブフィールドコードワードを順々に表現すれば、［０]から［２５５]までの階調を表現することができる。すなわち、図４には［０]から［３３]までの階調が表現されたが、表示可能階調は［０]〜［２５５]の総２５６個の階調である。
【００３０】
ここで、前記映像階調群は表示可能階調の中で、サブフィールドコードワードで遷移が起きるビットの個数が基準値２以下である階調として選択されうる。すなわち、階調［１５]及び階調［１６]の間のビット遷移は、各々第１サブフィールドから第５サブフィールドまで、連続的に５回発生することがわかる。従って、階調［１４]から１回のビット遷移が発生した階調［１５]は、映像階調群を構成する使用階調として選択される。その反面、階調［１６]は、階調［１５]からビット遷移が基準値以上総５回発生して非使用階調に分類される。
【００３１】
図５は、映像階調群を構成する使用階調のサブフィールドコードワードを示したものである。図５を参照すると、各使用階調は隣接する階調とのビット遷移が一つまたは二つに制限されていることがわかる。このような映像階調群は近接する階調間のビット遷移が制限されていて、ライン負荷にともなう階調表現力が低減されることを防止することに効果的である。
【００３２】
再び、図３を参照すると、階調変換部１０は逆ガンマ補正部１１、映像階調群テーブル１２、コードワード駆動部１３及び誤差拡散部１４を含むことができる。
【００３３】
逆ガンマ補正部１１は、入力映像信号を次のような式（１）により変換して、出力する。
【００３４】
Ｙ＝Ｘ２.２        （１）
（ここでXは入力映像信号を、Yは出力信号を示す）
８ビットで入出力信号を表現する場合、入出力輝度レベルが６ビットの整数と表現されて少数点以下の輝度情報を表す２ビットは誤差となる。逆ガンマ補正部１１の出力信号は、後述するように、周辺画素の誤差に加えて、映像階調群テーブル１２に入力される。
【００３５】
映像階調群テーブル１２は、前記映像階調群の階調を保存して、入力映像信号を映像群の中のいずれか一つの階調に変換して、出力する。すなわち、図４を参照すると、映像階調群テーブル１２は、階調［１８]に該当する輝度レベルを持つ入力映像信号を使用階調［１５]に変換して、出力する。
【００３６】
変換された階調［１５]は、コードワード駆動部１３に入力されて、これに該当するサブフィールドコードワードがサブフィールドデータとしてディスプレイパネルに供給される。すなわち、サブフィールドコードワードは、各ビット単位でアドレス区間の間に、ディスプレイパネルに供給されて、これによって、維持区間で発光される画素が選択される。
【００３７】
一方、入力階調［１８]に対する出力階調［１５]の変換誤差［３]は、誤差拡散部１４に入力される。誤差拡散部１４は、映像階調群テーブル１２に入力された階調と変換階調の間の誤差を周辺画素に拡散させる。この時、拡散される誤差は画素の位置により適正な値で加重されて、周辺画素の映像データに加える。これにより、誤差拡散部１４は、誤差をライン、画素、クロックなどの単位で遅延させる遅延部、加重値をかける掛け算器、これを周辺画素の映像データに足す足し算器を含む。
【００３８】
誤差拡散部１４は、階調変換過程で発生した誤差を周辺画素に拡散させることによって、部分的に平均明るさを維持させるのである。このような誤差拡散方法はディザリング技法で代替できることは簡単に理解できるものである。
【００３９】
図６は、本発明の第２実施例によるディスプレイ装置のブロック構成図である。図６に示されたように、ディスプレイ装置は、階調変換部１０、ディスプレイ部２０、パルス駆動部３０及び動き検出部４０を含む。
【００４０】
階調変換部１０は、入力映像を適な階調に変換して、ディスプレイ部２０に出力することで映像を表示する。パルス駆動部３０は、各サブフィールドに加重された維持パルスを適当なタイミングでディスプレイ部２０に供給する。
【００４１】
動き検出部４０は、入力映像の停止の有無を検出する。検出技法では、一定の大きさのブロック単位で以前のフレームと現在のフレームの動きベクターを抽出する動き評価技法、画素の映像値の変化を推定する動き算出技法等を使うことができる。
【００４２】
動き検出部４０の検出結果は、階調変換部１０に出力される。動き検出部４０から停止映像であると検出された場合、階調変換部１０は入力映像の輝度レベルを前記停止映像階調群の中のいずれか一つの階調に変換させる。
【００４３】
ここで、前記停止映像階調群は、前記第１実施例の映像階調群と同じ構成を持つ。ただし、非使用階調に分類される階調を使用階調として含む場合、その周辺の数個の階調はそれ以上の使用階調に含まれることができない。すなわち、映像階調群を構成する階調が変更されることを意味する。例えば、階調［４]を使用階調に分類したら、階調［３]はこれ以上使用階調に分類されることができないし、階調［４]と隣接した使用階調は階調［２]と階調［５]になる。従って、多様な形態の階調構成を持つ映像階調群が形成されることがわかる。
【００４４】
一方、動き検出部４０から動映像が検出された場合、階調変換部１０は入力映像の輝度レベルを動映像階調群の中のいずれか一つの階調に変換する。ここで動映像階調群は、動映像擬似輪郭を低減することに効果的な構成を持つ階調集合である。
【００４５】
一般的に、動画像擬似輪郭は、動き領域で周囲との階調差が視覚的に累積されて、等高線のような残像が現れることを示す。従って周囲画素との階調の差が人の動きにより視覚的に累積されることを防止する階調を使用して、動映像擬似輪郭を低減することができる。
【００４６】
図７は、このような動映像階調群のサブフィールドコードワードを示したものである。図７で示したように、各コードワードは隣接階調のコードワードと比較する時、１回のビット遷移が発生することがわかる。このような動映像階調群は、たとえ明るさを表現する階調の数が制限されると明るさの再現性は落ちるが、動映像擬似輪郭を効果的に低減させられる。
【００４７】
これに対して、従来の停止映像階調群は、停止映像に対して擬似輪郭が発生する心配がないために、最大限多くの階調を使用して、明るさの再現性が高まるようにした。すなわち、図４に示された階調テーブルで、従来の停止映像階調群はすべての表示可能階調を使用階調として使用したのである。
【００４８】
しかし、本実施例の停止映像階調群は明るさの再現性を高めて、ライン負荷に従って階調表現力が低減されることを防止する階調で構成されている。
【００４９】
すなわち、前記のように、停止映像階調群は、隣接する階調の間に、同一サブフィールドに対して発光の可否を異なるようにするサブフィールドの個数が所定基準値以下である階調で構成される。ここで、基準値は使用者により適切に選択されるもので、明るさの再現性のための階調数とライン負荷に階調表現力の低減程度を考慮して決定されることが好ましい。
【００５０】
本発明の第２実施例では、動映像階調群として、ビット遷移が１である階調で構成される図７の動映像階調群と、停止映像階調群としてビット遷移が２以下である階調で構成される図５の停止映像階調群を使用する。
【００５１】
図６に開示されたディスプレイ装置の動作を簡略に整理すると、動き検出部４０は入力映像の停止の有無を検出して、検出結果を階調変換部１０に出力する。検出結果により、階調変換部１０は入力映像の輝度レベルを動映像階調群または停止映像階調群の中のいずれか一つの階調群に属する階調に変換して、ディスプレイ部２０に出力する。ディスプレイ部２０は、階調変換部１０から入力されるサブフィールドコードワード及びパルス駆動部３０から入力される維持パルスにより入力映像をディスプレイする。ただし、パルス駆動部３０から出力される各サブフィールドの維持パルスの加重個数は、階調変換部１０から測定可能な入力映像の平均画像レベル（ＡＰＬ）等により調整されうる。また、本実施例の階調変換部１０は、誤差拡散及びディザリング技法により入力映像と変換階調間の誤差を周辺画素に拡散して、補償できるものである。
【００５２】
図８は、本発明の第３実施例によるディスプレイ装置のブロック構成図である。図８に示されたように、ディスプレイ装置は階調変換部１０、ディスプレイ部２０及び画素検出部５０を含む。
【００５３】
階調変換部１０は、入力映像を適当な階調に変換して、ディスプレイ部２０に出力することで映像を表示する。パルス駆動部３０は、各サブフィールドに加重された維持パルスを適当なタイミングによりディスプレイ部２０に供給する。
【００５４】
画素検出部５０は、入力映像から共通階調を持つ画素を検出して、検出結果を階調変換部１０に出力する。ここで、画素検出部５０は維持パルスが共通的に駆動される領域別あるいはライン別に共通階調の画素を検出することが好ましい。
【００５５】
階調変換部１０は、共通階調の画素が基準個数以上である場合、入力映像の輝度レベルを共通階調と比較して、同一サブフィールドに対して発光の可否が他のサブフィールドの個数が所定基準値以下である階調に変換して、出力する。
【００５６】
すなわち、前記実施例で言及したように、どんな階調を基準に映像階調群または停止映像階調群を構成するかによって、階調の構成が変更される。例えば、図４で非使用階調として分類される階調［４]等を基準に、２個以下のビット遷移が発生する階調を選別して階調群を構成すると、図５の映像階調群とはさぞ違う階調群が形成される。
【００５７】
このように、本発明の第３実施例では、階調変換部１０の映像階調群は、図５のテーブルと共に固定されない。すなわち、階調変換部１０は画素検出部５０からの共通階調により新しく作られる映像群の中のいずれか一つの階調で入力映像の輝度レベルを変換させる。
【００５８】
このような階調変換は、フレーム全体に対して遂行できるが、より好ましくは、画素検出部５０から検出の単位になった領域またはラインに対して適用する。
【００５９】
ちなみに、動映像擬似輪郭を考慮する時、階調変換部１０は、停止映像に対して前記の階調変換を遂行することが好ましい。従って、８に図示されたように、ディスプレイ装置は入力映像の停止の有無を検出する動き検出部４０をさらに含むことが好ましい。
【００６０】
動き検出部４０の検出結果は階調変換部１０に出力され、階調変換部１０は動き検出部４０及び画素検出部５０の検出結果により入力映像を適当な階調に変換する。
【００６１】
すなわち、動き検出部４０から動画であると検出された場合、階調変換部１０は入力映像の輝度レベルを図７に示した動映像階調群の中のいずれか一つの階調に変換する。
【００６２】
動き検出部４０から停止映像であると検出された場合、階調変換部１０は図４に示された表示可能階調で構成される多階調群を使用して、入力映像の輝度レベルを精密に表現する。
【００６３】
動き検出部４０から停止映像であると検出されて、画素検出部５０から共通階調を持つと、検出された画素が所定基準個数以上である場合、階調変換部１０は共通階調を基準に同一サブフィールドに対して発光の可否が他のサブフィールドの個数が所定基準値以下である階調の入力映像の輝度レベルを変換する。
【００６４】
本発明の第３実施例により、ライン負荷にとよる階調表現力が低減される恐れがあるラインに対して能動的に対処すると同時に、ライン負荷が問題にならない画素に対する詳細な映像表現が可能になる。
【００６５】
たとえ本発明のいくつかの実施例によって説明されたが、本発明の属する技術分野の通常の知識を持った当業者ならば、本発明の原則や精神から外れないで、本実施例を変形できることがわかることであろう。発明の範囲は添付された請求項とその均等物により決められる。
【図面の簡単な説明】
【００６６】
【図１】プラズマディスプレイパネルのフレームとサブフィールドの時間構成を示した図である。
【図２Ａ】各サブフィールドでのライン負荷の差を説明するための画素別階調分布図である。
【図２Ｂ】図２Ａによるサブフィールドコードワードを示した図である。
【図３】本発明の第１実施例によるディスプレイ装置のブロック構成図である。
【図４】維持パルスが加重されたサブフィールドの発光の可否の組み合わせによる表示可能階調を表した図である。
【図５】映像階調群を構成する使用階調のサブフィールドコードワードを示した図である。
【図６】本発明の第２実施例によるディスプレイ装置のブロック構成図である。
【図７】動画擬似輪郭を低減するための動映像階調群のサブフィールドコードワードを表した図である。
【図８】本発明の第３実施例によるディスプレイ装置のブロック構成図である。
【符号の説明】
【００６７】
１０  階調変換部
１１  逆ガンマ補正部
１２  映像階調群テーブル
１３  コードワード駆動部
１４  誤差拡散部
２０  ディスプレイ部
３０  パルス駆動部
４０  動き検出部
５０  画素検出部
【図１】
2005346068.tif 000003
【図２Ａ】
2005346068.tif 000004
【図２Ｂ】
2005346068.tif 000005
【図３】
2005346068.tif 000006
【図４】
2005346068.tif 000007
【図５】
2005346068.tif 000008
【図６】
2005346068.tif 000009
【図７】
2005346068.tif 000010
【図８】
2005346068.tif 000011